(57)【特許請求の範囲】
【請求項１】
既設建造物の表面に対して両側辺のフランジ部が直角向きに配置されたＨ形鋼が、その両側フランジ部間の中央板部においてアンカーボルトにより既設建造物に固着され、このＨ形鋼を内包するコンクリート打設空間を形成する型枠板が当該Ｈ形鋼に連結されている補強用コンクリート型枠構造であって、前記Ｈ形鋼の両側フランジ部の両側辺の内、既設建造物側の側辺に、第一コ形クランプを嵌合させると共に締結用ボルトにより固定し、これら第一コ形クランプに設けられたネジ孔部に、前記Ｈ形鋼の両側フランジ部の外側で当該フランジ部の幅方向と平行に配置した第一セパレーターの内端ネジ軸部を螺合連結し、これら第一セパレーターの外端部に、前記型枠板の内、既設建造物の表面と平行な第一型枠板を支持させて成る補強用コンクリート型枠構造において、
前記アンカーボルトはＨ形鋼の中央板部を貫通してナット止めされ、当該アンカーボルトの中央板部から突出する先端ネジ軸部にセパレーター連結板をナット止めし、このセパレーター連結板に設けられたネジ孔部に、前記第一セパレーターと平行な第三セパレーターの内端ネジ軸部を螺合連結し、この第三セパレーターの外端部に前記第一型枠板を支持させて成る、補強用コンクリート型枠構造。
【請求項２】
前記Ｈ形鋼の少なくとも片側のフランジ部の両側辺にそれぞれ第二コ形クランプを嵌合させると共に締結用ボルトにより固定し、これら第二コ形クランプに設けられたネジ孔部に、前記Ｈ形鋼のフランジ部に対して直角向きで且つ既設建造物の表面と平行に配置した第二セパレーターの内端ネジ軸部を螺合連結し、これら第二セパレーターの外端部に、前記型枠板の内、前記Ｈ形鋼のフランジ部の外側で当該フランジ部と平行に位置する第二型枠板を支持させて成る、請求項１に記載の補強用コンクリート型枠構造。
【請求項３】
前記第一コ形クランプ及び第二コ形クランプは、コ形両側板部を前記Ｈ形鋼のフランジ部側辺に対する嵌合方向と平行な連結板部により連結一体化して成る本体と、前記連結板部に設けられたネジ孔を螺合貫通する前記締結用ボルトとから構成され、前記第一セパレーターの内端ネジ軸部が螺合するネジ孔部は、前記コ形両側板部と連結板部とで囲まれた空間内に固定されたナットで構成され、前記第二セパレーターの内端ネジ軸部が螺合するネジ孔部は、前記連結板部に設けられた貫通ネジ孔で構成されている、請求項２に記載の補強用コンクリート型枠構造。
【発明の詳細な説明】
【技術分野】
【０００１】
本発明は、既設建造物を補強する水平梁状や垂直柱状の補強用コンクリート構造物を既設建造物の表面に接して増築するための型枠構造に関するものである。
【背景技術】
【０００２】
既設建造物を補強する一つの方法として、特許文献１に記載されるように、既設建造物の梁や柱の外側に補強用帯状鉄板を、既設建造物に打ち込んだアンカーボルトに固着する方法などで既設建造物の表面から適当間隔を隔てて配設し、この補強用帯状鉄板を内包するように既設建造物の表面に沿って補強用の梁や柱を増設する補強方法が提案されている。具体的には、特許文献１に記載された型枠構造は、前記補強用帯状鉄板の両側辺にコ形クランプを嵌合固定し、このコ形クランプにセパレーターの内端をネジ結合し、当該セパレーターの外端部に型枠板を支持させるものであった。
【先行技術文献】
【特許文献】
【０００３】
【特許文献１】特開２００８−１６３６９７号公報
【発明の概要】
【発明が解決しようとする課題】
【０００４】
前記特許文献１に記載のように、従来の補強用コンクリート型枠構造では、既設建造物の外側にアンカーボルトを介して取り付けられる補強用部材が帯状鉄板であることを想定したものであって、当該補強用部材としてＨ形鋼が、その両側辺のフランジ部が既設建造物の表面に対して直角向きに配設される場合を想定していなかったため、帯状鉄板に比較して補強効果の高いＨ形鋼を活用することができなかった。
【課題を解決するための手段】
【０００５】
本発明は、上記のような従来の問題点を解消することのできる補強用コンクリート型枠構造を提案するものであって、請求項１に記載の本発明に係る補強用コンクリート型枠構造は、後述する実施例との関係を理解し易くするために、当該実施例の説明において使用した参照符号を括弧付きで付して示すと、既設建造物(2)の表面(2a)に対して両側辺のフランジ部(6,7)が直角向きに配置されたＨ形鋼(3)が、その両側フランジ部(6,7)間の中央板部(8)においてアンカーボルト(9a〜9c)により既設建造物(2)に固着され、このＨ形鋼(3)を内包するコンクリート打設空間を形成する型枠板(4,5)が当該Ｈ形鋼(3)に連結されている補強用コンクリート型枠構造であって、前記Ｈ形鋼(3)の両側フランジ部(6,7)の両側辺(6a〜7b)の内、既設建造物(2)側の側辺(6a,7a)に、第一コ形クランプ(16)を嵌合させると共に締結用ボルト(25)により固定し、これら第一コ形クランプ(16)に設けられたネジ孔部(27)に、前記Ｈ形鋼(3)の両側フランジ部(6,7)の外側で当該フランジ部(6,7)の幅方向と平行に配置した第一セパレーター(13,14)の内端ネジ軸部(13a,14a)を螺合連結し、これら第一セパレーター(13,14)の外端部に、前記型枠板(4,5)の内、既設建造物(2)の表面(2a)と平行な第一型枠板(4)を支持させて成る補強用コンクリート型枠構造において、
前記アンカーボルト(9a〜9c)はＨ形鋼(3)の中央板部(8)を貫通してナット止めされ、当該アンカーボルト(9a〜9c)の中央板部(8)から突出する先端ネジ軸部(10)にセパレーター連結板(17)をナット止めし、このセパレーター連結板(17)に設けられたネジ孔部(31)に、前記第一セパレーター(13,14)と平行な第三セパレーター(15)の内端ネジ軸部(15a)を螺合連結し、この第三セパレーター(15)の外端部に前記第一型枠板(4)を支持させた構成になっている。
【０００６】
上記本発明を実施する場合、具体的には請求項２に記載のように、前記Ｈ形鋼(3)の少なくとも片側のフランジ部(7)の両側辺(7a,7b)にそれぞれ第二コ形クランプ(20)を嵌合させると共に締結用ボルト(25)により固定し、これら第二コ形クランプ(20)に設けられたネジ孔部(24b)に、前記Ｈ形鋼(3)のフランジ部(7)に対して直角向きで且つ既設建造物(2)の表面(2a)と平行に配置した第二セパレーター(18,19)の内端ネジ軸部(18a,19a)を螺合連結し、これら第二セパレーター(18,19)の外端部に、前記型枠板(4,5)の内、前記Ｈ形鋼(3)のフランジ部(7)の外側で当該フランジ部(7)と平行に位置する第二型枠板(5)を支持させることができる。
【０００８】
又、請求項３に記載のように、前記第一コ形クランプ(16)及び第二コ形クランプ(20)は、コ形両側板部(22a,22b)を前記Ｈ形鋼(3)のフランジ部側辺(6a〜7b)に対する嵌合方向と平行な連結板部(22c)により連結一体化して成る本体(23)と、前記連結板部(22c)に設けられたネジ孔(24a)を螺合貫通する前記締結用ボルト(25)とから構成し、前記第一セパレーター(13,14)の内端ネジ軸部(13a,14a)が螺合するネジ孔部(27)は、前記コ形両側板部(22a,22b)と連結板部(22c)とで囲まれた空間内に固定されたナット(26)で構成し、前記第二セパレーター(18,19)の内端ネジ軸部(18a,19a)が螺合するネジ孔部は、前記連結板部(22c)に設けられた貫通ネジ孔(24b)で構成することができる。
【発明の効果】
【０００９】
本発明の構成によれば、既設建造物の表面に隣接して増設する補強用コンクリート構造物の補強用部材として、帯状鉄板ではなく、より補強効果の高いＨ形鋼を使用する場合において、このＨ形鋼を内包するコンクリート打設空間を形成する型枠板の内、既設建造物の表面と平行な向きの第一型枠板を、当該第一型枠板に対して直角向きの第一セパレーターを介して前記Ｈ形鋼の両側フランジ部に、溶接に頼らずに簡単容易に且つ強固に結合することができ、前記Ｈ形鋼を内包した高強度の補強用コンクリート構造物を築造することができる。更に本発明の構成によれば、前記補強用コンクリート構造物の幅が広くて、使用するＨ形鋼の両側フランジ部間の高さが大きくなる（中央板部の幅が広くなる）場合に、当該Ｈ形鋼を既設建造物に固着するアンカーボルトと、前記第一セパレーター間で当該第一セパレーターと平行に位置する第三セパレーターとを利用して、幅広の第一型枠板の中間位置も前記Ｈ形鋼に溶接に頼らずに簡単容易に且つ強固に結合することができ、幅広の補強用コンクリート構造物も簡単容易に築造することができる。
【００１０】
尚、請求項２に記載の構成によれば、前記Ｈ形鋼を内包するコンクリート打設空間を形成する型枠板の内、既設建造物の表面に対し直角向きの第二型枠板も、当該第二型枠板に対して直角向きの第二セパレーターを介して、前記Ｈ形鋼の両側辺に、溶接に頼らずに簡単容易に且つ強固に結合することができ、前記Ｈ形鋼を内包した高強度の補強用コンクリート構造物を築造することができる。
【００１２】
尚、請求項２に記載の補強用コンクリート型枠構造を実施する場合、請求項３に記載の構成によれば、１種類のコ形クランプを使用して、互いに向きの異なる第一セパレーター及び第二セパレーターの両方を確実にＨ形鋼に結合することができ、それぞれ専用のコ形クランプを必要とする場合と比較して、コストダウンを図ることができる。
【図面の簡単な説明】
【００１３】
【図１】水平梁状の補強用コンクリート構造物を築造する場合の型枠構造を示す縦断側面図である。
【図２】使用するコ形クランプ本体の縦断側面図である。
【図３】同コ形クランプ本体の平面図である。
【図４】同コ形クランプ本体の縦断正面図である。
【図５】図１の第一セパレーターとＨ形鋼との連結部を示す拡大縦断側面図である。
【図６】図１の第三セパレーターとＨ形鋼との連結部を示す拡大縦断側面図である。
【図７】第三セパレーターの連結に使用するセパレーター連結板を示す斜視図である。
【発明を実施するための形態】
【００１４】
図１において、１は既設建造物２の表面２ａに接して水平梁状の補強用コンクリート構造物を築造する場合の型枠構造体であって、既設建造物２の表面２ａと平行に配置されたＨ形鋼３、このＨ形鋼３の外側で既設建造物２の表面２ａと平行に配置された第一型枠板４、及びＨ形鋼３の下側で既設建造物２の表面２ａと直角向きの配置された第二型枠板５によって構成されている。
【００１５】
Ｈ形鋼３は、両側フランジ部６，７間に位置する中央板部８が、既設建造物２の表面２ａと平行になるように、一方のフランジ部６に接近した位置、他方のフランジ部７に接近した位置、及び両フランジ部６，７間の幅方向の略中央位置の３箇所において、アンカーボルト９ａ〜９ｃにより既設建造物２に固定されている。各アンカーボルト９ａ〜９ｃは、Ｈ形鋼３の長さ方向に関して適当間隔おきに複数本が配設されており、それぞれ内端部が既設建造物２に埋設固着され、他端部には、Ｈ形鋼３の中央板部８を貫通するネジ軸部１０を備え、全てのアンカーボルト９ａ〜９ｃのネジ軸部１０には、Ｈ形鋼３が既設建造物２から離れる方向に移動するのを阻止する押えナット１１が螺合締結され、選択された適当な位置にあるアンカーボルト９ａ〜９ｃのネジ軸部１０には、Ｈ形鋼３が既設建造物２に接近する方向に移動するのを阻止する受けナット１２が螺合締結されている。
【００１６】
第一型枠板４は、Ｈ形鋼３の両側フランジ部６，７の外側に配置された第一セパレーター１３，１４と、Ｈ形鋼３の両側フランジ部６，７間に配置された第三セパレーター１５によって、Ｈ形鋼３に連結支持されている。これら第一セパレーター１３，１４及び第三セパレーター１５は、Ｈ形鋼３の長さ方向に適当間隔おきに複数本が配設されており、第一セパレーター１３，１４は、Ｈ形鋼３の両側フランジ部６，７の両側辺６ａ，６ｂ及び７ａ，７ｂの内、既設建造物２に近い側の側辺６ａ，７ａに外嵌固定された第一コ形クランプ１６によって、両側フランジ部６，７と平行で且つ第一型枠板４に対して直角向きにＨ形鋼３に結合されている。第三セパレーター１５は、Ｈ形鋼３を既設建造物２に取り付けているアンカーボルト９ａ〜９ｃの内、Ｈ形鋼３の両フランジ部６，７間の幅方向の略中央位置に位置するアンカーボルト９ｂに取り付けられたセパレーター連結板１７によって、前記第一セパレーター１３，１４と平行向きにＨ形鋼３に結合されている。
【００１７】
第二型枠板５は、Ｈ形鋼３の両側フランジ部６，７の内、第二型枠板５に近い側のフランジ部７の両側辺７ａ，７ｂに連結された第二セパレーター１８，１９を介して、Ｈ形鋼３に連結支持されている。これら第二セパレーター１８，１９は、Ｈ形鋼３の長さ方向に適当間隔おきに複数本が配設されており、それぞれＨ形鋼３のフランジ部７の両側辺７ａ，７ｂに外嵌固定された第二コ形クランプ２０によって、当該第二型枠板５に対して直角向きで第一型枠板４と平行向きにＨ形鋼３に結合されている。
【００１８】
各型枠板４，５は、各セパレーター１３〜１５，１８，１９の外端部に従来周知の方法により結合されることによりＨ形鋼３に支持されると共に、これら型枠板４，５の外側に配設される押え枠材（図示省略）と共に型枠構造体１を構成するものであり、図示例では、水平梁状の補強用コンクリート構造物を築造する型枠構造体であるから、当該型枠構造体１で形成される内側のコンクリート打設空間は上側が開放されているが、垂直柱状の補強用コンクリート構造物を築造する型枠構造体であるときは、仮想線で示すように、第二型枠板５がＨ形鋼３のフランジ部６側にも、第二セパレーター１８，１９及び第二コ形クランプ２０を介して支持され、周囲全体が閉じたコンクリート打設空間が、既設建造物２と第一型枠板４及び第二型枠板５とで形成される。尚、図１では、Ｈ形鋼３のフランジ部７側の第一セパレーター１４を当該フランジ部７の側辺７ａに結合する第一コ形クランプ１６は、手前の第二セパレーター１８をフランジ部７の側辺７ａに結合する第二コ形クランプ２０によって隠されており、仮想線で示す第二セパレーター１８をＨ形鋼３のフランジ部６の側辺６ａに結合する第二コ形クランプ２０は、手前の第一セパレーター１３をＨ形鋼３のフランジ部６の側辺６ａに結合する第一コ形クランプ１６によって隠されている。
【００１９】
第一セパレーター１３，１４をＨ形鋼３に結合する第一コ形クランプ１６と、第二セパレーター１８，１９をＨ形鋼３に結合する第二コ形クランプ２０は同一構造のものであって、以下、その構造を図２〜図４に基づいて説明すると、各クランプ１６，２０は、嵌合凹部２１を備えたコ形両側板部２２ａ，２２ｂを前記Ｈ形鋼３のフランジ部６，７の側辺６ａ〜７ｂに対する嵌合方向と平行な連結板部２２ｃにより連結一体化して成る本体２３と、前記連結板部２２ｃに設けられた、当該連結板部２２ｃの長さ方向に並ぶ２つの貫通ネジ孔２４ａ，２４ｂの内、嵌合凹部２１側の貫通ネジ孔２４ａを螺合貫通する締結用ボルト２５とから構成されている。そしてコ形両側板部２２ａ，２２ｂと連結板部２２ｃとで囲まれた空間内の嵌合凹部２１側の端部に固定された六角ナット２６によって、第一セパレーター１３，１４の内端ネジ軸部が螺合するネジ孔部２７が構成され、連結板部２２ｃの長さ方向に並ぶ２つの貫通ネジ孔２４ａ，２４ｂの内、嵌合凹部２１から離れた側の貫通ネジ孔２４ｂによって、第二セパレーター１８，１９の内端ネジ軸部が螺合するネジ孔部が構成されている。
【００２０】
尚、六角ナット２６は溶接により固着しても良いが、この実施例では、コ形両側板部２２ａ，２２ｂに形成された係合孔２８ａ，２８ｂに六角ナット２６の対称位置にある角部を嵌合させると共に、当該六角ナット２６の一側辺を連結板部２２ｃの内側面に当接させることにより、当該六角ナット２６を自転不能な状態で本体２３の定位置に固定している。
【００２１】
上記構成のコ形クランプを第一コ形クランプ１６として使用するときは、図５に示すように、コ形両側板部２２ａ，２２ｂの嵌合凹部２１をＨ形鋼３のフランジ部６，７の側辺６ａ，７ａに外嵌させて締結用ボルト２５をねじ込み、当該締結用ボルト２５の内端をフランジ部６，７の外側面に圧接させて、フランジ部６，７の側辺６ａ，７ａの長さ方向任意の位置に固定する。そして第一セパレーター１３，１４の内端ネジ軸部１３ａ，１４ａを前記六角ナット２６で構成されたネジ孔部２７に螺合させれば良い。このとき、第一セパレーター１３，１４のねじ込み深さは、その内端ネジ軸部１３ａ，１４ａが締結用ボルト２５と干渉しない範囲内で調整できる。
【００２２】
又、上記構成のコ形クランプを第二コ形クランプ２０として使用するときは、同様に、コ形両側板部２２ａ，２２ｂの嵌合凹部２１をＨ形鋼３のフランジ部６，７の両側辺６ａ〜７ｂに外嵌させて締結用ボルト２５をねじ込み、当該締結用ボルト２５の内端をフランジ部６，７の外側面に圧接させて、フランジ部６，７の両側辺６ａ〜７ｂの長さ方向任意の位置に固定する。そして第二セパレーター１８，１９の内端ネジ軸部１８ａ，１９ａを貫通ネジ孔２４ｂに螺合すれば良い。このとき、第二セパレーター１８，１９は、そのねじ込み深さに関係なく、嵌合凹部２１に嵌合するＨ形鋼３のフランジ部６，７と干渉することはないので、その内端ネジ軸部１８ａ，１９ａの長さの範囲内で第二セパレーター１８，１９のねじ込み深さを調整できる。
【００２３】
第三セパレーター１５をアンカーボルト９ｂに取り付けるためのセパレーター連結板１７は、図７に示すように、適当厚さの板材２９にアンカーボルト挿通孔３０とセパレーター連結用の貫通ネジ孔３１を設けたものであって、図６に示すように、Ｈ形鋼３の中央板部８から突出するアンカーボルト９ｂのネジ軸部１０に二段に螺嵌された２つの押えナット１１間で、アンカーボルト挿通孔３０を利用して当該ネジ軸部１０に嵌合させた状態のセパレーター連結板１７を挟持固定し、当該アンカーボルト９ｂから横側方に突出する貫通ネジ孔３１に第三セパレーター１５の内端ネジ軸部１５ａを螺合することにより、アンカーボルト９ｂを介して第三セパレーター１５をＨ形鋼３に結合することができる。
【００２４】
以上のようにして組み立てられた図１に示す型枠構造体１は、型枠板４，５で形成されたコンクリート打設空間内にＨ形鋼３が補強部材として配置されており、当該Ｈ形鋼３は、既設建造物２にアンカーボルト９ａ〜９ｃを介して固着されているので、必要に応じてＨ形鋼３の周囲に鉄筋を配設した上で、各型枠板４，５で形成されたコンクリート打設空間内にコンクリートを打設し、Ｈ形鋼３を内蔵した水平梁状や垂直柱状の補強用コンクリート構造物を、既設建造物２の表面２ａに接して築造することができる。
【産業上の利用可能性】
【００２５】
本発明の補強用コンクリート型枠構造は、既設建造物の表面に接して水平梁状又は垂直柱状の補強用コンクリート構造物を築造する手段として活用できる。
【符号の説明】
【００２６】
１    型枠構造体
２    既設建造物
３    Ｈ形鋼
４    第一型枠板
５    第二型枠板
６，７    Ｈ形鋼のフランジ部
６ａ〜７ｂ    Ｈ形鋼フランジ部の側辺
８    Ｈ形鋼の中央板部
９ａ〜９ｃ    アンカーボルト
１０    アンカーボルトのネジ軸部
１１    押えナット
１２    受けナット
１３，１４    第一セパレーター
１３ａ，１４ａ    第一セパレーターの内端ネジ軸部
１５    第三セパレーター
１５ａ    第三セパレーターの内端ネジ軸部
１６    第一コ形クランプ
１７    セパレーター連結板
１８    第二セパレーター
１８ａ，１９ａ    第二セパレーターの内端ネジ軸部
２０    第二コ形クランプ
２１    嵌合凹部
２２ａ，２２ｂ    コ形両側板部
２２ｃ    連結板部
２３    本体
２４ａ，２４ｂ    貫通ネジ孔
２５    締結用ボルト
２６    六角ナット
２７    ネジ孔部
２８ａ，２８ｂ    係合孔
２９    板材
３０    アンカーボルト挿通孔
３１    貫通ネジ孔
【図１】
0005599092.tif 000002
【図２】
0005599092.tif 000003
【図３】
0005599092.tif 000004
【図４】
0005599092.tif 000005
【図５】
0005599092.tif 000006
【図６】
0005599092.tif 000007
【図７】
0005599092.tif 000008